(57)【要約】    【課題】スパイラルフープ筋を用いて外側から内側の方向へのプレストレスをかけることにより、コンクリート柱の強度の増大を図ることができる、スパイラルフープ筋を用いた外側から内側の方向へのプレストレスト構造のコンクリート構造物の構築方法及びそのコンクリート構造物を提供する。    【解決手段】円筒状の型枠１内に配置した軸方向鉄筋２に巻き付けられたスパイラルフープ筋３に、このスパイラルフープ筋３の径を広げるように捩れ力を加え、その状態で前記円筒状の型枠１内にコンクリート４を打設する工程と、前記コンクリート４の硬化後に前記スパイラルフープ筋３の径を広げるように加えた捩れ力を解放する工程と、前記円筒状の型枠１を外す工程とを施す。【選択図】図１
2005220555.tif 000002
【特許請求の範囲】
【請求項１】
（ａ）円筒状の型枠内に配置した軸方向鉄筋に巻き付けられたスパイラルフープ筋に、該スパイラルフープ筋の径を広げるように捩れ力を加え、その状態で前記円筒状の型枠内にコンクリートを打設する工程と、
（ｂ）前記コンクリートの硬化後に前記スパイラルフープ筋の径を広げるように加えた捩れ力を解放する工程と、
（ｃ）前記円筒状の型枠を外す工程とを施す、スパイラルフープ筋を用いた外側から内側の方向へのプレストレスト構造のコンクリート構造物の構築方法。
【請求項２】
請求項１記載のスパイラルフープ筋を用いた外側から内側の方向へのプレストレスト構造のコンクリート構造物の構築方法を用いて構築される、スパイラルフープ筋を用いた外側から内側の方向へのプレストレスト構造のコンクリート構造物。
【請求項３】
請求項２記載のスパイラルフープ筋を用いた外側から内側の方向へのプレストレスト構造のコンクリート構造物において、前記コンクリート構造物がＲＣ柱であるスパイラルフープ筋を用いた外側から内側の方向へのプレストレスト構造のコンクリート構造物。
【請求項４】
請求項２記載のスパイラルフープ筋を用いた外側から内側の方向へのプレストレスト構造のコンクリート構造物において、前記コンクリート構造物が基礎杭であるスパイラルフープ筋を用いた外側から内側の方向へのプレストレスト構造のコンクリート構造物。
【請求項５】
（ａ）円筒状の鋼管内にコンクリートを打設し、径を広げるように捩れ力を付与されたスパイラルフープ筋を前記円筒状の鋼管の外側に巻き付ける工程と、
（ｂ）前記スパイラルフープ筋の径を広げるように付与された捩れ力を解放する工程とを施す、スパイラルフープ筋を用いた外側から内側の方向へのプレストレスト構造のコンクリート構造物の構築方法。
【請求項６】
請求項５記載のスパイラルフープ筋を用いた外側から内側の方向へのプレストレスト構造のコンクリート構造物の構築方法を用いて構築される、スパイラルフープ筋を用いた外側から内側の方向へのプレストレスト構造のコンクリート構造物。
【請求項７】
請求項６記載のスパイラルフープ筋を用いた外側から内側の方向へのプレストレスト構造のコンクリート構造物において、前記コンクリート構造物がＣＦＴ柱であるスパイラルフープ筋を用いた外側から内側の方向へのプレストレスト構造のコンクリート構造物。
【請求項８】
請求項６記載のスパイラルフープ筋を用いた外側から内側の方向へのプレストレスト構造のコンクリート構造物において、前記コンクリート構造物が基礎杭であるスパイラルフープ筋を用いた外側から内側の方向へのプレストレスト構造のコンクリート構造物。
【請求項９】
請求項１記載のスパイラルフープ筋を用いた外側から内側の方向へのプレストレスト構造のコンクリート構造物の構築方法において、前記スパイラルフープ筋として異形鉄筋を用いたことを特徴とするスパイラルフープ筋を用いた外側から内側の方向へのプレストレスト構造のコンクリート構造物の構築方法。
【請求項１０】
請求項２〜４記載のスパイラルフープ筋を用いた外側から内側の方向へのプレストレスト構造のコンクリート構造物であって、前記スパイラルフープ筋が異形鉄筋であるスパイラルフープ筋を用いた外側から内側の方向へのプレストレスト構造のコンクリート構造物。
【発明の詳細な説明】
【技術分野】
【０００１】
本発明は、橋脚や基礎に用いられる、スパイラルフープ筋を用いた外側から内側の方向へのプレストレスト構造のコンクリート構造物の構築方法及びそのコンクリート構造物に関するものである。
【背景技術】
【０００２】
従来、円形断面のＲＣ（Ｒｅｉｎｆｏｒｃｅｄ  Ｃｏｎｃｒｅｔｅ：鉄筋コンクリート）橋脚においては、スパイラル筋が用いられて横拘束効果を持たせるようにしている。
【非特許文献１】「円形断面ＲＣ橋脚に対するスパイラル筋の横拘束効果」、構造工学論文集  Ｖｏｌ．４８Ａ（２００２年３月）、ｐｐ．７１５−７２３
【発明の開示】
【発明が解決しようとする課題】
【０００３】
しかしながら、コンクリートはひび割れが生じ易いといった問題があった。
【０００４】
本発明は、スパイラルフープ筋を用いて外側から内側の方向へのプレストレスをかけることにより、コンクリート柱の強度の増大を図ることができる、スパイラルフープ筋を用いた外側から内側の方向へのプレストレスト構造のコンクリート構造物の構築方法及びそのコンクリート構造物を提供することを目的とする。
【課題を解決するための手段】
【０００５】
本発明は、上記目的を達成するために、
〔１〕スパイラルフープ筋を用いた外側から内側の方向へのプレストレスト構造のコンクリート構造物の構築方法において、円筒状の型枠内に配置した軸方向鉄筋に巻き付けられたスパイラルフープ筋に、このスパイラルフープ筋の径を広げるように捩れ力を加え、その状態で前記円筒状の型枠内にコンクリートを打設する工程と、前記コンクリートの硬化後に前記スパイラルフープ筋の径を広げるように加えた捩れ力を解放する工程と、前記円筒状の型枠を外す工程とを施すようにしたものである。
【０００６】
〔２〕スパイラルフープ筋を用いた外側から内側の方向へのプレストレスト構造のコンクリート構造物であって、上記〔１〕記載のスパイラルフープ筋を用いた外側から内側の方向へのプレストレスト構造のコンクリート構造物の構築方法を用いて構築される。
【０００７】
〔３〕上記〔２〕記載のスパイラルフープ筋を用いた外側から内側の方向へのプレストレスト構造のコンクリート構造物において、前記コンクリート構造物がＲＣ柱である。
【０００８】
〔４〕上記〔２〕記載のスパイラルフープ筋を用いた外側から内側の方向へのプレストレスト構造のコンクリート構造物において、前記コンクリート構造物が基礎杭である。
【０００９】
〔５〕スパイラルフープ筋を用いた外側から内側の方向へのプレストレスト構造のコンクリート構造物の構築方法において、円筒状の鋼管内にコンクリートを打設し、径を広げるように捩れ力を付与されたスパイラルフープ筋を前記円筒状の鋼管の外側に巻き付ける工程と、前記スパイラルフープ筋の径を広げるように付与された捩れ力を解放する工程とを施すようにしたものである。
【００１０】
〔６〕スパイラルフープ筋を用いた外側から内側の方向へのプレストレスト構造のコンクリート構造物において、上記〔５〕記載のスパイラルフープ筋を用いた外側から内側の方向へのプレストレスト構造のコンクリート構造物の構築方法を用いて構築される。
【００１１】
〔７〕上記〔６〕記載のスパイラルフープ筋を用いた外側から内側の方向へのプレストレスト構造のコンクリート構造物において、前記コンクリート構造物がＣＦＴ柱である。
【００１２】
〔８〕上記〔６〕記載のスパイラルフープ筋を用いた外側から内側の方向へのプレストレスト構造のコンクリート構造物において、前記コンクリート構造物が基礎杭である。
【００１３】
〔９〕上記〔１〕記載のスパイラルフープ筋を用いた外側から内側の方向へのプレストレスト構造のコンクリート構造物の構築方法において、前記スパイラルフープ筋として異形鉄筋を用いたことを特徴とする。
【００１４】
〔１０〕上記〔２〕〜〔４〕記載のスパイラルフープ筋を用いた外側から内側の方向へのプレストレスト構造のコンクリート構造物であって、前記スパイラルフープ筋が異形鉄筋である。
【発明の効果】
【００１５】
本発明によれば、スパイラルフープ筋にその径を小さくするような捩れ力を作用させてプレストレスを付加することにより、拘束効果が大きくなり、コンクリート柱の強度の増大を図ることができるコンクリート構造物を構築することができる。
【発明を実施するための最良の形態】
【００１６】
スパイラルフープ筋を用いた外側から内側の方向へのプレストレスト構造のコンクリート構造物の構築方法において、円筒状の型枠内に配置した軸方向鉄筋に巻き付けられたスパイラルフープ筋に、このスパイラルフープ筋の径を広げるように捩れ力を加え、その状態で前記円筒状の型枠内にコンクリートを打設する工程と、前記コンクリートの硬化後に前記スパイラルフープ筋の径を広げるように加えた捩れ力を解放する工程と、前記円筒状の型枠を外す工程とを施す。したがって、スパイラルフープ筋が捩れ力から解放されると、元の形状に戻ろうとする力が径を小さくしようとする力となって働くため、拘束効果が大きくなり、コンクリート柱の強度の増大を図ることができる。
【実施例】
【００１７】
以下、本発明の実施の形態について詳細に説明する。
【００１８】
図１は本発明の実施例を示すスパイラルフープ筋を用いた外側から内側の方向へのプレストレスト構造のコンクリート構造物としてのＲＣ柱の作製工程の模式図、図２はスパイラルフープ筋の作用の説明図、図３はそのスパイラルフープ筋を用いた外側から内側の方向へのプレストレスト構造としてのＲＣ柱の横断面図である。
【００１９】
（１）まず、図１（ａ）に示すように、円筒状の型枠１内の軸方向鉄筋２にスパイラルフープ筋３を巻き付ける。
【００２０】
（２）次に、図１（ｂ）に示すように、スパイラルフープ筋３の径を広げるように捩れ力を加えた状態でコンクリート４を打設する。
【００２１】
（３）次に、図１（ｃ）に示すように、前記コンクリート４の硬化後にスパイラルフープ筋３の径を広げるように加えた捩れ力を解放する。
【００２２】
（４）次に、図１（ｄ）に示すように、前記円筒状の型枠１を外し、プレストレスト構造のＲＣ柱５を得ることができる。
【００２３】
その場合のスパイラルフープ筋３の作用について詳述すると、図２（ａ）に示すように、初期状態にあるスパイラルフープ筋３に、図２（ｂ）に示すように、スパイラルフープ筋３の径が広がるように捩れ力Ｆを加えて、その径を大きくする。次いで、コンクリートを打設し、その硬化後にその捩れ力Ｆを解放すると、図２（ｃ）に示すように、スパイラルフープ筋３は初期状態へと戻るように作用する。
【００２４】
このようにして構築されたＲＣ柱５は、スパイラルフープ筋３が元の形状に戻ろうとする力、換言するとコンクリート４の径が小さくなろうとする力で、拘束効果を生じさせることができる。
【００２５】
上記ではＲＣ柱について述べたが、基礎杭についても適用することができる。  なお、上記各実施例におけるスパイラルフープ筋としては、リブ又は節などの表面突起を有する棒鋼で、コンクリートに埋め込んだときにコンクリートとの付着が大きく取れるようにした異形鉄筋を用いるのが望ましい。
【００２６】
図４は本発明の実施例を示すスパイラルフープ筋を用いた外側から内側の方向へのプレストレスト構造のコンクリート構造物としてのＣＦＴ（コンクリート・フィール・チューブ）柱の作製工程の模式図、図５はそのスパイラルフープ筋を用いた外側から内側の方向へのプレストレスト構造としてのＣＦＴ柱の横断面図である。
【００２７】
（１）まず、図４（ａ）に示すように、鋼管１１内にコンクリート１２を打設する。
【００２８】
（２）次に、図４（ｂ）に示すように、その鋼管１１の外側に鋼管１１の径より径の小さいスパイラルフープ筋１３をその径を広げた状態で巻き付ける。
【００２９】
（３）次に、図４（ｃ）に示すように、スパイラルフープ筋１３の径を広げる力を解放する。
【００３０】
（４）すると、スパイラルフープ筋１３により、ＣＦＴ柱の径を小さくしようする力が加わった、プレストレスト構造のＣＦＴ柱１４を得ることができる。
【００３１】
すなわち、上記（３）から（４）へと移行するときに、スパイラルフープ筋３が径を広げようとする捩れ力から解放されるので、元の形状に戻ろうとする力が径を小さくしようとする力となって働いて、ＣＦＴ柱の外側から内側に向かって圧縮力が作用することになり、拘束効果が大きいＣＦＴ柱１４を得ることができる。
【００３２】
上記ではＣＦＴ柱について述べたが、基礎杭についても適用することができる。
【００３３】
また、本発明は上記実施例に限定されるものではなく、本発明の趣旨に基づき種々の変形が可能であり、これらを本発明の範囲から排除するものではない。
【産業上の利用可能性】
【００３４】
本発明のスパイラルフープ筋を用いた外側から内側の方向へのプレストレスト構造のコンクリート構造物の構築方法及びそのコンクリート構造物は、強度が増大するため、ＲＣ橋脚や基礎杭などに適している。
【図面の簡単な説明】
【００３５】
【図１】本発明の実施例を示すスパイラルフープ筋を用いた外側から内側の方向へのプレストレスト構造のコンクリート構造物としてのＲＣ柱の作製工程の模式図である。
【図２】本発明の実施例を示すスパイラルフープ筋の作用の説明図である。
【図３】本発明の実施例を示すスパイラルフープ筋を用いた外側から内側の方向へのプレストレスト構造としてのＲＣ柱の横断面図である。
【図４】本発明の実施例を示すスパイラルフープ筋を用いた外側から内側の方向へのプレストレスト構造のコンクリート構造物としてのＣＦＴ（コンクリート・フィール・チューブ）柱の作製工程の模式図である。
【図５】図４に示すスパイラルフープ筋を用いた外側から内側の方向へのプレストレスト構造としてのＣＦＴ柱の横断面図である。
【符号の説明】
【００３６】
１    円筒状の型枠
２    軸方向鉄筋
３，１３    スパイラルフープ筋
４，１２    コンクリート
５    プレストレスト構造のＲＣ柱
１１    鋼管
１４    プレストレスト構造のＣＦＴ柱
【図１】
2005220555.tif 000003
【図２】
2005220555.tif 000004
【図３】
2005220555.tif 000005
【図４】
2005220555.tif 000006
【図５】
2005220555.tif 000007